(57)【特許請求の範囲】
【請求項１】
上部デッキボードと下部デッキボードとを桁を介して連結し、前記桁は、側面、上面及び下面が閉じられた中空構造であって、桁の上面は上部デッキボードの平滑板の一部である上板及び側版により閉じられており、桁の下面は下部デッキボードの平滑板の一部である下板及び側板により閉じられている合成樹脂製パレットにおいて、下部デッキボードの桁内における下板の上面を平面中央に向かって突出させた凸面となし、前記下板の周縁部に桁内に連通する複数の排水孔を設けたことを特徴とする合成樹脂製パレット。
【請求項２】
前記下部デッキボードの下板の周辺部に複数の排水孔を設けたことを特徴とする請求項１記載の合成樹脂製パレット。
【請求項３】
前記下部デッキボードの側板に複数の排水孔を設けたことを特徴とする請求項１記載の合成樹脂製パレット。
【発明の詳細な説明】
【０００１】
【発明の属する技術分野】
この発明は、荷物を保管、運搬する際に使用するフォークリフト用の合成樹脂製パレットに関する。
【０００２】
【従来の技術】
近年、荷物の保管、運搬用のパレットの多くは、木製パレットに代わり耐水性、耐腐食性に優れている合成樹脂製パレットが使用されている。合成樹脂製パレットの製造方法には、射出成形機による一体成型方法と、予め分割成形した部品の分割面を突き合わせ溶着することによって一体のパレットを得る突き合わせ溶着成型方法等がある。後者の突き合わせ溶着成型方法の１つに、パレットの荷物の載置面に対して平行に桁の部分で分割する方法がある。前記方法により製造されたパレットのデッキボードの下面には縦横に補強リブを設け、前記上下のデッキボードを連結する桁は上下面及び側面を閉じた中空構造とされている。
【０００３】
【発明が解決しようとする課題】
上記のように、上下面及び側面を閉じた中空構造の桁の場合には、桁が破損すると次のような問題がある。桁の破損は、例えば、フォークリフトによる運搬作業中にフォークリフトのフォークが衝突することにより生じたり、他の物品との衝突によって生じることがある。桁が破損しても使用上問題がなければそのまま使用される。桁が破損すると、破損部分から桁内に水が入ることがある。即ち、パレットの洗浄中に、洗浄水が破損部分から入ったり、屋外に保管中に雨水が破損部分から入ったりすることがある。桁内に入った雨水等は、桁の破損部分を下向きにして水抜きをしなければならないが、パレットのような大型成型品においてはその取り扱いが困難であり、完全に水抜きをすることはできない。また、破損部分が複数箇所あり、その向きが相違している場合には、水抜き作業は一層困難になる。一方、水抜きをせず雨水等が桁内に溜まったままにしておくと、輸送中の振動等により、桁内の水が流出して積載した荷物を汚染するおそれがあるばかりでなく、衛生上も好ましくない。
【０００４】
突き合わせ溶着成型方法では、強度上の理由から桁は上下面を閉じた中空構造とされるために、破損が防止される構造体とされることは勿論、万が一破損により雨水等が入った場合に自然に排水されるか、容易に水抜き作業ができる合成樹脂製パレットが望まれていた。この発明は、かかる現況に鑑みてなされたもので、強度を減ずることなく自然に桁内の排水がされ、あるいは容易に水抜き作業ができる合成樹脂製パレットを提供することを目的とする。
【０００５】
【課題を解決するための手段】
この発明は上記目的を達成するために次のような構成とした。即ち、この発明の請求項１に係る合成樹脂製パレットは、上部デッキボードと下部デッキボードとを桁を介して連結し、前記桁は、側面、上面及び下面が閉じられた中空構造であり、桁の上面は上部デッキボードの平滑板の一部である上板及び側版により閉じられており、桁の下面は下部デッキボードの平滑板の一部である下板及び側板により閉じられている合成樹脂製パレットにおいて、下部デッキボードの桁内における下板の上面を平面中央に向かって突出させた凸面となし、前記下板の周縁部に桁内に連通する複数の排水孔を設けたことを特徴とする。また、請求項２に係る合成樹脂製パレットは、  前記下部デッキボードの下板の周辺部に複数の排水孔を設けたことを特徴とする。また、請求項３に係る合成樹脂製パレットは、前記下部デッキボードの側板に複数の排水孔を設けたことを特徴とする。
【０００６】
【発明の実施の形態】
以下に、図示する実施形態について詳細に説明する。合成樹脂製パレット１０は四方差しパレットであって、桁１１の略中間の分割線１３から予め別途分割成形された上部成形部材１５と下部成形部材１７との２つの部品をその分割面を突き合わせ溶着することによって一体的に形成されている。前記上部成形部材１５は上部デッキボード１５ａと桁部１１ａとからなり、下部成形部材１７は下部デッキボード１７ａと桁部１１ｂとからなり、前記桁部１１ａと桁部１１ｂの端面を突き合わせ溶着することによって成形される。前記桁部１１ａと桁部１１ｂとからなる桁１１は、側面が閉じた中空構造体であり、前記桁１１と上部デッキボード１５ａ、下部デッキボード１７ａで囲まれた空間をフォーク差込口１９としている。
【０００７】
パレット１０の上部デッキボード１５ａは、平滑板と補強リブからなり、外周面は側板２２によって閉じられており、また、下部デッキボード１７ａは平滑板と補強リブからなり、外周面は側板２６によって閉じられている。桁１１の上面は平滑板２０の一部である上板２０ａにより、また下面は平滑板の一部である下板２３ａによりそれぞれ閉じられている。
【０００８】
図２はこの発明の第１実施形態を示し、下板２３ａの上面を平面中央部に向かって突出させた凸面３０となし、その周辺部に複数の水抜き孔３１を穿設したものである。下板２３ａの上面を凸面３０とするには、周縁部の肉厚をデッキボードの他の部分の平滑板の肉厚と同じか、わずかに薄くし中央部に向かって徐々に厚肉にすることによって形成すればよい。このように、桁の下端周縁部に水抜き孔３１を形成した場合には、パレットがいずれかの方向に傾斜していても桁の破損部から入った雨水等を自然に排水することができる。
【０００９】
図３はこの発明の第２実施形態を示し、第１実施形態と同様に、下板２３ａの上面を平面中央部に向かって突出させた凸面３０となし、側板２６の下板２３ａに隣接する部分に側面に開口する水抜き孔３３を穿設している。この実施形態のように、側板２６に水抜き孔３３を穿設した場合には、パレットを地面に設置させて保管する場合にも水抜き孔からの土砂の侵入を防止することができるとともに、パレットのいずれか一方の側端を持ち上げて傾斜させることによって桁内に溜まっている雨水等を一気に排水することができる。また、側板２６に水抜き孔３３を穿設することにより、パレットを段積みした場合に上段のパレットの桁に入った雨水等は下段のパレットの側面に排水することができる。
【００１０】
さらに、図４はこの発明の第３実施形態を示し、下板２３ａの中央部で交差し周縁部に達する排水溝３５を設け、前記排水溝３５内に開口する水抜き孔３６を設けたものである。この実施形態のように、排水溝３５を設けた場合には、下板２３ａの肉厚を一定にすることができるとともに、スムーズに自然排水することができる。
【００１１】
尚、両面使用のパレットにおいては、下板２３ａとともに、上板２０ａにも同一構成の水抜き孔を設けることが好ましい。また、上記実施形態の排水孔は、それぞれ組み合わせて使用することができるものであり、適宜変形、変更することが可能である。また、説明の便宜上桁内部の補強リブの構造については省略したが、補強リブの構造によっては排水を妨げないように、補強リブの下端部を１カ所または数カ所切り欠くことが好ましい。
【００１２】
【発明の効果】
この発明にかかる合成樹脂製パレットによれば、桁の下端部をなすデッキボードに排水孔を設けたから、破損した部分から雨水等が桁内に入った場合でも自然に排水することができる。従って、常に衛生的なパレットを使用することができるばかりでなく、積載した荷物を汚染することがない。
【図面の簡単な説明】
【図１】  この発明に係るパレットの一例を示す説明用斜視図である。
【図２】  第１実施形態を示す説明用断面斜視図である。
【図３】  第２実施形態を示す説明用断面斜視図である。
【図４】  第３実施形態を示す説明用断面斜視図である。
【符号の説明】
１０  合成樹脂製パレット
１１  桁
１１ａ  桁部
１１ｂ  桁部
１３  分割線
１５  上部成形部材
１５ａ  上部デッキボード
１７  下部成形部材
１７ａ  下部デッキボード
１９  フォーク差込口
２０  平滑板
２０ａ  上板
２２  側板
２３ａ  下板
２６  側板
３０  凸面
３１  水抜き孔
３３  水抜き孔
３５  排水溝
３６  水抜き孔
【図１】
0004044647.tif 000002
【図２】
0004044647.tif 000003
【図３】
0004044647.tif 000004
【図４】
0004044647.tif 000005